(57)【要約】【課題】  レジストスタートした先行紙の情報を、後行紙がさらにレジストスタートするまで記憶しておき、先行紙への後行紙の追突を防止し、且つ紙間待ちを最小限にして生産性の低下を防止した画像形成装置を提供する。【解決手段】  まず先行紙がレジストスタートポイント８に到達すると（Ｓ２０１）、反転排紙か否かをチェックし（Ｓ２０２）、それが反転排紙を行うのであれば、自身の紙の長さに応じた反転タイマ（先記（１）式にて算出）と、最大サイズタイマ（先記（２）式の先行紙長さを最大長さをセットし（Ｓ２０３）、さらに先行紙情報（例えば、紙サイズ、長さ、反転排紙かストレート排紙か等）をセットし（Ｓ２０４）、レジストスタートする（Ｓ２０５）。ステップＳ２０２で反転排紙を行わないのであれば、タイマをリセットし、先々行紙の影響が残らないようにして（Ｓ２０６）、ステップＳ２０４に進む。【選択図】  図２
2005195808.tif 000002
【特許請求の範囲】
【請求項１】
連続した画像形成動作中に複数の転写紙が搬送路内に存在するインターリーフ・モードにより動作する画像形成装置であって、
前記転写紙が反転排紙に要する時間をカウントする反転タイマと、先行転写紙と後行転写紙の通過時間差をカウントするサイズ差タイマと、前記先行転写紙の必要情報を記憶する先行紙情報記憶手段と、を備えたことを特徴とする画像形成装置。
【請求項２】
前記先行転写紙がレジストスタートポイントに到達した際、当該先行転写紙が前記反転排紙を行うように設定されていた場合、前記反転タイマとサイズ差タイマに所定の時間をセットすると共に、前記先行紙情報記憶手段に所定の情報を記憶後、前記レジストスタートポイントから当該先行転写紙を搬送することを特徴とする請求項１に記載の画像形成装置。
【請求項３】
前記先行転写紙がレジストスタートポイントに到達した際、当該先行転写紙が前記反転排紙を行わないように設定されていた場合、前記反転タイマ及びサイズ差タイマをリセットすることを特徴とする請求項１に記載の画像形成装置。
【請求項４】
前記後行転写紙がデータの書き込みを要求するポイントに到達した際、当該後行転写紙が前記反転排紙を行うように設定され、且つ前記先行転写紙も前記反転排紙を行うように設定されていた場合、当該後行転写紙が前記先行転写紙より短いと判断されると、両転写紙のサイズ差分の時間が経過するまでデータの書き込み要求を停止することを特徴とする請求項１に記載の画像形成装置。
【請求項５】
前記転写紙が直接排紙口に向かわず両面ユニットに向かう場合、前記先行転写紙の必要情報、前記反転タイマとサイズ差タイマ、及び前記後行転写紙としての待ち処理を行わないことを特徴とする請求項１に記載の画像形成装置。
【発明の詳細な説明】
【技術分野】
【０００１】
本発明は、画像形成装置に関し、さらに詳しくは、インターリーフ・モードでの先行紙と後行紙の追突防止技術に関するものである。
【背景技術】
【０００２】
インターリーフ・モードは、連続した画像形成動作中に複数の転写紙が搬送路内に同時に併存するモードであり、このモードにおける先行紙と後行紙の追突防止を説明するために、一般的な画像形成装置の転写紙の動きについて説明する。図３は一般的な画像形成装置の転写紙搬送系のレイアウト図である。各給紙段（第１給紙１〜第４給紙４、手差し給紙５、ＬＣＴ６）から給紙された転写紙は、書き込み要求ポイント７で書き込み要求を送出し、その後レジストスタートポイント８にて感光体ドラム上にＬＤより書き込まれた潜像と転写位置とのタイミングを調停（停止しスタート）し、転写位置９、定着１４、排紙口１３へと向かう。ここで本レイアウト例では、定着下流に一点破線で示したストレート排紙ルート１５（フェイスアップ排紙）と、一点破線で示した反転排紙ルート１６（フェイスダウン排紙：切換ポイント１７にてスイッチバックを行う）との二通りの搬送系路が存在し、使用者の要求に併せた出力形態を選ぶことができる。そしてストレート排紙が続くときには、最低限必要な（センサＯＮ／ＯＦＦ認識に必要な）紙間を保ったままで転写紙を連続搬送できるが、反転排紙を行う転写紙（先行紙と呼ぶ）が間に入ると、次に搬送する転写紙（後行紙と呼ぶ）との間にさらなる紙間が必要となる。
具体的に説明すると、先行紙が反転排紙で、後行紙がストレート排紙の場合、後行紙を待たせないでそのまま通すと、後行紙が排紙口１３で追いつくので、反転排紙ルート１６（反転入口１１〜切換ポイント１７〜反転出口１２）＋紙長さ・・・（１）「反転タイマ」分の紙間が必要である。
また先行紙が反転排紙で、後行紙が反転排紙の場合、後行紙のほうが先行紙よりも長さが短いと、切換ポイント１７で後行紙が追いつくので、先行紙長さ−後行紙長さ・・・（２）「サイズ差タイマ」分の紙間が必要である。
この「後行紙追いつき」を防止するため、従来では図３に示すフローチャートのように行っていた。なお、説明を簡略化するため、反転入口〜（ストレート）〜反転出口間の距離は０、書き込み要求ポイント〜レジストスタートポイント間の距離は０、転写位置からレジストスタートポイント、及びＬＤ照射ポイントまでの距離は同じ、先記最低限必要な紙間は０、さらには書き込み要求送出により、ＬＤの書き込みが即時始まるものとする。
図４（ａ）は先行紙の制御フロー、（ｂ）は周期タイマの制御フロー、（ｃ）は後行紙の制御フローである。従来例ではレジスト以降で転写紙を止めることができず、紙間を開けるためにレジストで調停するものとする。
図４（ａ）の先行紙制御フローを説明する。まず先行紙は書き込み要求を送出するタイミング（Ｓ１０１）で、それが反転排紙を行う（Ｓ１０２）のであれば、自身の紙の長さに応じた「反転タイマ」（上記（１）式にて算出）をセット（Ｓ１０３）し、終了する。ステップＳ１０２で反転排紙でなければ、タイマをリセットして（Ｓ１０４）終了する。
次に図４（ｂ）の周期タイマ制御フローを説明する。周期タイマは一定時間に達すると各タイマ（タイマ値）をデクリメント（Ｓ１１０）し、タイムアップ（タイマ値＝０）する（Ｓ１１１）と、そのタイマに対応した待ちフラグを解除する（Ｓ１１３）。
次に図４（ｃ）の後行紙制御フローを説明する。後行紙は書き込み要求ポイント７に到達する（Ｓ１２１）と、後行紙自身が反転排紙であれば先行紙を検索（Ｓ１２３）し、先行紙があり、かつ反転排紙だった場合は（Ｓ１２４）、先行紙の長さよりも後行紙の長さが短い場合（Ｓ１２５）、「サイズ差タイマ」（上記（２）式にて算出）をセットし、さらに待ちフラグをセットし（Ｓ１２６）、レジストスタートポイント８で待つ。周期タイマにより待ちフラグが解除された（Ｓ１２７）ら、書き込み要求を送出する（Ｓ１３１）。ステップＳ１２２で後行紙自身がストレート排紙であれば、「反転タイマ」がセットされているかを判断（Ｓ１２８）し、セットされていれば、待ちフラグをセットし（Ｓ１２９）、レジストスタートポイント８で待つ。周期タイマにより待ちフラグが解除された（Ｓ１３０）ら、書き込み要求を送出する（Ｓ１３１）。このような流れで排紙口１３若しくは切換ポイント１７で衝突しないよう、レジストにて紙間を設けている。
【発明の開示】
【発明が解決しようとする課題】
【０００３】
しかし、図４で先行紙が反転排紙で、後行紙が反転排紙の場合、図４（ｃ）で先行紙を検索している（Ｓ１２３）ので、先行紙が排出された状態ではその情報が残っておらず、本来必要な紙間待ちができず、後行紙が追いつく可能性があった。また、先行紙が見つかった場合でも、その時点での先行紙の位置は考慮していないので、不要な紙間待ちを行いいたずらに生産性を落とす可能性があった。
本発明は、かかる課題に鑑み、レジストスタートした先行紙の情報を、後行紙がさらにレジストスタートするまで記憶しておき、先行紙への後行紙の追突を防止し、且つ紙間待ちを最小限にして生産性の低下を防止した画像形成装置を提供することを目的とする。
【課題を解決するための手段】
【０００４】
本発明はかかる課題を解決するために、請求項１は、連続した画像形成動作中に複数の転写紙が搬送路内に存在するインターリーフ・モードにより動作する画像形成装置であって、前記転写紙が反転排紙に要する時間をカウントする反転タイマと、先行転写紙と後行転写紙の通過時間差をカウントするサイズ差タイマと、前記先行転写紙の必要情報を記憶する先行紙情報記憶手段と、を備えたことを特徴とする。
従来のインターリーフ・モードにより動作する画像形成装置では、先行紙の各種の情報を記憶していなかったため、後行紙に衝突する虞と、紙間の待ち時間が必要以上に大きくなり、生産性を低下していた。そこで本発明では、先行紙の各種情報を記憶しておき、後行紙はその情報から最適な紙間を判断してレジストスタートのタイミングを決定するものである。ここで、複数の転写紙が同時に搬送経路上にある場合に、例えば２枚の転写紙に注目したときに、先に排紙される転写紙を先行転写紙と呼び、その先行転写紙の次に排紙される転写紙を後行転写紙と便宜上呼ぶ。
かかる発明によれば、転写紙が反転排紙に要する時間をカウントする反転タイマと、先行転写紙と後行転写紙の通過時間差をカウントするサイズ差タイマと、先行転写紙の必要情報を記憶する先行紙情報記憶手段と、を備えたので、先行紙が機外に完全に排出され消滅した場合でも、レジストで後行紙の追突防止に必要な時間を待たせたり、あるいは不要な待ちを行わずに安定し、なおかつ生産性を落とさない搬送動作を行うことができる。
請求項２は、前記先行転写紙がレジストスタートポイントに到達した際、当該先行転写紙が前記反転排紙を行うように設定されていた場合、前記反転タイマとサイズ差タイマに所定の時間をセットすると共に、前記先行紙情報記憶手段に所定の情報を記憶後、前記レジストスタートポイントから当該先行転写紙を搬送することを特徴とする。
先行転写紙がレジストスタートポイントに到達したとき、反転排紙を行うように設定されていた場合、後行紙が追いついて追突するのを防止するため、反転に要する時間をカウントする反転タイマと、先行紙と後行紙の通過時間差をカウントするサイズ差タイマを所定の値にセットする。また、例えば紙のサイズ、紙の長さ、反転かストレート排紙かの情報等を先行紙情報記憶手段に記憶する。その後、レジストスタートポイントから先行紙を搬送するようにする。
かかる発明によれば、先行転写紙がレジストスタートポイントに到達した際、この先行紙が反転排紙を行うように設定されていた場合、反転タイマとサイズ差タイマに所定の時間をセットすると共に、先行紙情報記憶手段に所定の情報を記憶後、レジストスタートポイントからこの先行紙を搬送するので、先行する転写紙の情報を後行紙が全て認識することができ、後行紙が最適なタイミングでレジストポイントをスタートすることができる。
請求項３は、前記先行転写紙がレジストスタートポイントに到達した際、当該先行転写紙が前記反転排紙を行わないように設定されていた場合、前記反転タイマ及びサイズ差タイマをリセットすることを特徴とする。
また先行転写紙がレジストスタートポイントに到達した際、ストレート排紙を行う場合は、各タイマに時間を設定する必要は無い。その理由は、先行紙がストレート排紙の場合は、時間的に必ず先行紙が排紙されるのが早いので、不要な時間を設定する必要は無い。従って、その場合はタイマをリセットする。
かかる発明によれば、先行転写紙がレジストスタートポイントに到達した際、この先行転写紙が反転排紙を行わないように設定されていた場合、反転タイマ及びサイズ差タイマをリセットするので、本来不要な待ち情報をセットして、後行紙の待ち判定に誤った影響を与えることを防ぐことができる。
【０００５】
請求項４は、前記後行転写紙がデータの書き込みを要求するポイントに到達した際、当該後行転写紙が前記反転排紙を行うように設定され、且つ前記先行転写紙も前記反転排紙を行うように設定されていた場合、当該後行転写紙が前記先行転写紙より短いと判断されると、両転写紙のサイズ差分の時間が経過するまでデータの書き込み要求を停止することを特徴とする。
後行紙がデータの書き込みを要求するポイントに到達した際、先行紙と後行紙がともに反転排紙を行うように設定されていた場合、紙の長さが後行紙の方が短いと書き込みをスターとするタイミングが速すぎると追突する危険性がでてくる。そこで本発明では、先行紙との差分の時間、待機してから書き込みをスタートしてタイミングを遅らせるようにする。
かかる発明によれば、後行紙がデータの書き込みを要求するポイントに到達した際、この後行紙が反転排紙を行うように設定され、且つ先行紙も反転排紙を行うように設定されていた場合、この後行紙が先行紙より短いと判断されると、両転写紙のサイズ差分の時間が経過するまでデータの書き込み要求を停止するので、両転写紙が反転排紙の場合でも追突を防止することができる。
請求項５は、前記転写紙が直接排紙口に向かわず両面ユニットに向かう場合、前記先行転写紙の必要情報、前記反転タイマとサイズ差タイマ、及び前記後行転写紙としての待ち処理を行わないことを特徴とする。
反転部に続く下流に両面搬送機構を設けている場合、直接排紙口に向かわず再度裏面画像を転写すべく書き込み要求ポイント及びレジストスタートポイントに向かうことになる。即ち、この場合は排紙口での影響はなくなる。従って、ここで先行紙、及び後行紙の制御フローに入ると、誤った情報をセットしてしまい、次に排紙口に向かう後行紙への制御に悪影響を及ぼしてしまう。
かかる発明によれば、転写紙が直接排紙口に向かわず両面ユニットに向かう場合、先行紙の必要情報、反転タイマとサイズ差タイマ、及び後行紙としての待ち処理を行わないので、次に排紙口に向かう後行紙への制御に悪影響を及ぼすことを防止することができる。
【発明の効果】
【０００６】
以上記載のごとく請求項１の発明によれば、転写紙が反転排紙に要する時間をカウントする反転タイマと、先行転写紙と後行転写紙の通過時間差をカウントするサイズ差タイマと、先行転写紙の必要情報を記憶する先行紙情報記憶手段と、を備えたので、先行紙が機外に完全に排出された場合でも、レジストで後行紙の追突防止に必要な時間を待たせたり、あるいは不要な待ちを行わずに安定し、なおかつ生産性を落とさない搬送動作を行うことができる。
また請求項２では、先行転写紙がレジストスタートポイントに到達した際、この先行紙が反転排紙を行うように設定されていた場合、反転タイマとサイズ差タイマに所定の時間をセットすると共に、先行紙情報記憶手段に所定の情報を記憶後、レジストスタートポイントからこの先行紙を搬送するので、先行する転写紙の情報を後行紙が全て認識することができ、後行紙が最適なタイミングでレジストポイントをスタートすることができる。
また請求項３では、先行転写紙がレジストスタートポイントに到達した際、この先行転写紙が反転排紙を行わないように設定されていた場合、反転タイマ及びサイズ差タイマをリセットするので、本来不要な待ち情報をセットして、後行紙の待ち判定に誤った影響を与えることを防ぐことができる。
また請求項４では、後行紙がデータの書き込みを要求するポイントに到達した際、この後行紙が反転排紙を行うように設定され、且つ先行紙も反転排紙を行うように設定されていた場合、この後行紙が先行紙より短いと判断されると、両転写紙のサイズ差分の時間が経過するまでデータの書き込み要求を停止するので、両転写紙が反転排紙の場合でも追突を防止することができる。
また請求項５では、転写紙が直接排紙口に向かわず両面ユニットに向かう場合、先行紙の必要情報、反転タイマとサイズ差タイマ、及び後行紙としての待ち処理を行わないので、次に排紙口に向かう後行紙への制御に悪影響を及ぼすことを防止することができる。
【発明を実施するための最良の形態】
【０００７】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は、本発明の一実施形態に係るデジタル複写機の概略構成図である。この構成は、画像処理装置としての複写機１００であり、この複写機１００の上面にはコンタクトガラス２０６が設けられている。また、複写機１００の上部には自動原稿送り装置（以下、単にＡＤＦという）２０１が設けられており、このＡＤＦ１はコンタクトガラス２０６を開閉するように複写機１００に図示しないヒンジ等を介して連結されている。このＡＤＦ２０１は、複数の原稿からなる原稿束を載置可能な原稿載置台としての原稿トレイ２０２と、原稿トレイ２０２に載置された原稿束から原稿を１枚ずつ分離してコンタクトガラス２０６に向かって搬送する分離・搬送手段と、分離・搬送手段によってコンタクトガラス２０６に向かって搬送された原稿をコンタクトガラス２０６上の読取位置に搬送・停止させるとともに、コンタクトガラス２０６の下方に配設された複写機１００の読取手段（公知の露光ランプ２５１、ミラー２５２、２５５、２５６、レンズ２５３、ＣＣＤ２５４等）２５０により読み取りが終了した原稿をコンタクトガラス２０６から搬出する。給紙モータはコントローラからの出力信号によって駆動されるようになっており、コントローラは複写機１００から給紙スタート信号が入力されると、給紙モータを正・逆転駆動するようになっている。給紙モータが正転駆動されると、給送ローラ２０３が時計方向に回転して原稿束から最上位に位置する原稿が給紙され、コンタクトガラス２０６に向かって搬送される。この原稿の先端が原稿セット検知センサ２０７によって検知されると、コントローラは原稿セット検知センサ２０７からの出力信号に基づいて給紙モータを逆転駆動させる。これにより、後続する原稿が進入するのを防止して分離されないようになっている。
【０００８】
また、コントローラは原稿セット検知センサ２０７が原稿の後端を検知したとき、この検知時点からの搬送ベルトモータの回転パルスを計数し、回転パルスが所定値に達したときに、給送ベルト２０４の駆動を停止して給送ベルト２０４を停止することにより、原稿をコンタクトガラス２０６読取位置に停止させる。また、コントローラは原稿セット検知センサ７によって原稿の後端が検知された時点で、給紙モータを再び駆動し、後続する原稿を上述したように分離してコンタクトガラス２０６に向かって搬送し、この原稿が原稿セット検知センサ２０７によって検知された時点からの給紙モータのパルスが所定パルスに到達したときに、給紙モータを停止させて次原稿を先出し待機させる。そして、原稿がコンタクトガラス２０６の読取位置に停止したとき、複写機１００によって原稿の読み取りおよび露光が行なわれる。この読み取りおよび露光が終了すると、コントローラには複写機１００から信号が入力されるため、コントローラはこの信号が入力すると、搬送ベルトモータを正転駆動して、搬送ベルト２１６によって原稿をコンタクトガラス２０６から排送ローラ２０５に搬出する。
上記のように、ＡＤＦ２０１にある原稿トレイ２０２に原稿の画像面を上にして置かれた原稿束は、操作部上のプリントキーが押下されると、一番上の原稿からコンタクトガラス２０６上の所定の位置に給送される。給送された原稿は、読み取りユニット２５０によってコンタクトガラス２０６上の原稿の画像データを読み取り後、給送ベルト２０４および反転駆動コロによって排出口Ａ（原稿反転排出時の排出口）に排出される。さらに、原稿トレイ２０２に次の原稿が有ることを検知した場合、前原稿と同様にコンタクトガラス２０６上に給送される。
第１トレイ２０８、第２トレイ２０９、第３トレイ２１０に積載された転写紙は、各々第１給紙ユニット２１１、第２給紙ユニット２１２、第３給紙ユニット２１３によって給紙され、縦搬送ユニット２１４によって感光体２１５に当接する位置まで搬送される。読み取りユニット２５０にて読み込まれた画像データは、書き込みユニット２５７からのレーザによって感光体２１５に書き込まれ、現像ユニット２２７を通過することによってトナー像が形成される。そして、転写紙は感光体２１５の回転と等速で搬送ベルト２１６によって搬送されながら、感光体２１５上のトナー像が転写される。その後、定着ユニット２１７にて画像を定着させ、排紙ユニット２１８に搬送される。排紙ユニット２１８に搬送された転写紙は、ステープルモードを行わない場合は、排紙トレイ２１９に排紙される。
【０００９】
図２は本発明の画像形成装置の動作フローチャートである。図２（ａ）は先行紙の制御フロー、（ｂ）は周期タイマの制御フロー、（ｃ）は後行紙の制御フローである。本発明の特徴は、レジストスタートした先行紙の情報を、後行紙がさらにレジストスタートするまで記憶しておくことにある。図３を参照して説明する。まず図２（ａ）により先行紙制御フローについて説明する。まず先行紙がレジストスタートポイント８に到達すると（Ｓ２０１）、反転排紙か否かをチェックし（Ｓ２０２）、それが反転排紙を行うのであれば（Ｓ２０２でＹＥＳのルート）、自身の紙の長さに応じた反転タイマ（先記（１）式にて算出）と、最大サイズタイマ（先記（２）式の先行紙長さを最大長さ（例えば、Double Letter 縦、後行紙長さを“０”とした、固定値を算出）をセットし（Ｓ２０３）、さらに先行紙情報（例えば、紙サイズ、長さ、反転排紙かストレート排紙か等）をセットし（Ｓ２０４）、レジストスタートする（Ｓ２０５）。ステップＳ２０２で反転排紙を行わないのであれば、タイマをリセットし、先々行紙の影響が残らないようにして（Ｓ２０６）、ステップＳ２０４に進む。
従来のインターリーフ・モードにより動作する画像形成装置では、先行紙の各種の情報を記憶していなかったため、後行紙に衝突する虞と、紙間の待ち時間が必要以上に大きくなり、生産性を低下していた。そこで本実施形態では、先行転写紙がレジストスタートポイント８に到達したとき、反転排紙を行うように設定されていた場合、後行紙が追いついて追突するのを防止するため、反転に要する時間をカウントする反転タイマと、先行紙と後行紙の通過時間差をカウントするサイズ差タイマを所定の値にセットする。また、例えば紙のサイズ、紙の長さ、反転かストレート排紙かの情報等を先行紙情報記憶手段に記憶する。その後、レジストスタートポイントから先行紙を搬送するようにする。これにより、先行紙が機外に完全に排出され消滅した場合でも、レジストで後行紙の追突防止に必要な時間を待たせたり、あるいは不要な待ちを行わずに安定し、なおかつ生産性を落とさない搬送動作を行うことができる。
また先行紙がレジストスタートポイント８に到達した際、ストレート排紙を行う場合は、各タイマに時間を設定する必要は無い。その理由は、先行紙がストレート排紙の場合は、時間的に必ず先行紙が排紙されるのが早いので、不要な時間を設定する必要は無い。従って、その場合はタイマをリセットするので、本来不要な待ち情報をセットして、後行紙の待ち判定に誤った影響を与えることを防ぐことができる。
【００１０】
次に図２（ｂ）の周期タイマ制御フローについて説明する。周期タイマは一定時間に達すると各タイマ（タイマ値）をデクリメント（Ｓ２１０）し、タイムアップ（タイマ値＝０）する（Ｓ２１１）と、そのタイマに対応した待ちフラグを解除する（Ｓ２１３）。
次に図２（ｃ）の後行紙制御フローについて説明する。後行紙は書き込み要求ポイント８に到達すると（Ｓ２２１）、後行紙自身が反転排紙であるか否かをチェックし（Ｓ２２２）、反転排紙であった場合（Ｓ２２２でＹＥＳのルート）、次に先行紙が反転排紙であるか否かをチェックし（Ｓ２２３）、先行紙も反転排紙だった場合（Ｓ２２３でＹＥＳのルート）、後行紙が先行紙より短いかどうかを判断し（Ｓ２２４）、先行紙がセットしたサイズ差タイマを元に先行紙レジスト経過時間（最大サイズタイマ初期値−その時点でのサイズタイマ値）を算出し（Ｓ２２５）、その時間がサイズ差により必要な時間を経過していない場合（Ｓ２２５でＹＥＳのルート）、サイズ差タイマ（先記（２）式−上記経過時間にて算出）、さらに待ちフラグをセットし（Ｓ２２６）、レジストスタートポイントで待つ。周期タイマにより待ちフラグが解除された（Ｓ２２７）ら、書き込み要求を送出する（Ｓ２３１）。
ステップＳ２２２で後行紙自身がストレート排紙であれば（Ｓ２２２でＮＯのルート）、先行紙による反転タイマがセットされているかを判断し（Ｓ２２８）、セットされていれば（Ｓ２２８でＹＥＳのルート）、待ちフラグをセットし（Ｓ２２９）、レジストスタートポイント８で待つ。そして周期タイマにより待ちフラグが解除されたら（Ｓ２３０）、書き込み要求を送出する（Ｓ２３１）。
後行紙がデータの書き込みを要求するポイント７に到達した際、先行紙と後行紙がともに反転排紙を行うように設定されていた場合、紙の長さが後行紙の方が短いと、書き込みをスターとするタイミングが速すぎると追突する危険性がでてくる。そこで本実施形態では、先行紙との差分の時間、待機してから書き込みをスタートしてタイミングを遅らせるようにする。これにより、両転写紙が反転排紙の場合でも追突を防止することができる。
このような流れで排紙口１３若しくは切換ポイント１７で衝突しないよう、レジストにて紙間を設けている。また、本実施例では反転部に続く下流に両面搬送機構を設けている。この場合、直接排紙口に向かわず再度裏面画像を転写すべく書き込み要求ポイント７及びレジストスタートポイント８に向かうことになるので、排紙口での影響はない。よって、ここで先行紙、及び後行紙の制御フローに入ると誤った情報をセットしてしまい、次に排紙口に向かう後行紙への制御に悪影響を及ぼしてしまう。すなわち、両面に向かう場合は先行紙、及び後行紙の制御フローは一切無視するようにすればよい。
【図面の簡単な説明】
【００１１】
【図１】本発明の一実施形態に係るデジタル複写機の概略構成図である。
【図２】本発明の画像形成装置の動作フローチャートである。
【図３】一般的な画像形成装置の転写紙搬送系のレイアウト図である。
【図４】従来の画像形成装置の動作フローチャートである。
【符号の説明】
【００１２】
１  第１給紙、２  第２給紙、３  第３給紙、４  第４給紙、５  手差し給紙、６  ＬＣ、７  書き込み要求ポイント、８  レジストスタートポイント、９  転写位置、１０  ＬＤ照射ポイント、１１  反転入口、１２  反転出口、１３  排紙口、１４  定着、１５  ストレート排紙ルート、１６  反転排紙ルート、１７  切替えポイント
【図１】
2005195808.tif 000003
【図２】
2005195808.tif 000004
【図３】
2005195808.tif 000005
【図４】
2005195808.tif 000006